(57)【要約】【課題】多数の楽曲の中から何れかの楽曲を検索する場合に、利用者に検索条件の入力等の負担を強いる事無く、楽曲を検索することができる。【解決手段】音声を入力する音声入力部と、音声入力部により入力された音声における語気を示す特徴量を認識する語気認識部と、音声入力部により入力された音声について予め定められた語気を示す特徴量の平均値及び標準偏差に基づいて、語気認識部により認識された特徴量の標準化変量を算出する標準化変量算出部と、標準化変量算出部により算出された標準化変量に基づいて、複数の楽曲のそれぞれを当該楽曲の曲調を示す特徴量に対応付けて格納する楽曲データベースから楽曲を検索する検索部と、検索部により検索された楽曲を再生する再生部とを備える音楽再生装置を提供する。【選択図】図１
2005274790.tif 000002
【特許請求の範囲】
【請求項１】
音声を入力する音声入力部と、
前記音声入力部により入力された音声における語気を示す特徴量を認識する語気認識部と、
前記音声入力部により入力された音声について予め定められた語気を示す特徴量の平均値及び標準偏差に基づいて、前記語気認識部により認識された特徴量の標準化変量を算出する標準化変量算出部と、
前記標準化変量算出部により算出された標準化変量に基づいて、複数の楽曲のそれぞれを当該楽曲の曲調を示す特徴量に対応付けて格納する楽曲データベースから楽曲を検索する検索部と、
前記検索部により検索された楽曲を再生する再生部と
を備える音楽再生装置。
【請求項２】
前記語気認識部は、語気を示す特徴量として、前記音声入力部により入力された音声におけるテンポの速さを認識する請求項１に記載の音楽再生装置。
【請求項３】
前記語気認識部は、語気を示す特徴量として、前記音声入力部により入力された音声における音の高さを認識する請求項１に記載の音楽再生装置。
【請求項４】
前記語気認識部は、語気を示す特徴量として、前記音声入力部により入力された音声における音の大きさを認識する請求項１に記載の音楽再生装置。
【請求項５】
前記楽曲データベースは、前記複数の楽曲のそれぞれに対応付けて、前記複数の楽曲における曲調を示す特徴量の平均値及び標準偏差に基づいて算出された、当該楽曲における当該特徴量の標準化変量を更に格納し、
前記検索部は、前記楽曲データベースに格納された、楽曲毎の曲調を示す特徴量の標準化変量に基づいて、前記標準化変量算出部により算出された標準化変量と略同一の標準化変量を示す楽曲を前記楽曲データベースから検索する
請求項１に記載の音楽再生装置。
【請求項６】
前記楽曲データベースを更に備える請求項１から５の何れかに記載の音楽再生装置。
【請求項７】
音声を入力する音声入力部と、
前記音声入力部により入力された音声における語気を示す特徴量を認識する語気認識部と、
前記音声入力部により入力される音声について予め定められた語気を示す特徴量の平均値及び標準偏差に基づいて、前記語気認識部により認識された特徴量の標準化変量を算出する標準化変量算出部と、
複数の楽曲のそれぞれを、当該楽曲の曲調を示す特徴量に対応付けて格納する楽曲データベースと、
前記標準化変量算出部により算出された標準化変量に基づいて、前記楽曲データベースから楽曲を検索する検索部と、
複数の画像を格納する画像データベースと、
前記複数の画像を順次表示する表示部と、
前記表示部により前記複数の画像が順次表示されている場合に、前記検索部により検索された楽曲を再生する再生部と
を備える電子アルバム装置。
【請求項８】
前記再生部は、前記表示部により表示される前記画像が切り替わるタイミングで、前記検索部により検索された楽曲の再生を開始する請求項７に記載の電子アルバム装置。
【請求項９】
音声を入力する音声入力段階と、
前記音声入力段階において入力された音声における語気を示す特徴量を認識する語気認識段階と、
前記音声入力段階において入力された音声について予め定められた語気を示す特徴量の平均値及び標準偏差に基づいて、前記語気認識段階において認識された特徴量の標準化変量を算出する標準化変量算出段階と、
前記標準化変量算出段階において算出された標準化変量に基づいて、複数の楽曲のそれぞれを当該楽曲の曲調を示す特徴量に対応付けて格納する楽曲データベースから楽曲を検索する検索段階と、
前記検索段階において検索された楽曲を再生する再生段階と
を備える音楽再生方法。
【請求項１０】
前記検索段階は、前記楽曲データベースに更に格納された、前記複数の楽曲における曲調を示す特徴量の平均値及び標準偏差に基づいて、前記標準化変量算出段階において算出された標準化変量と略同一の標準化変量を示す楽曲を前記楽曲データベースから検索する請求項９に記載の音楽再生方法。
【請求項１１】
コンピュータを音楽再生装置として機能させる音楽再生プログラムであって、
前記コンピュータを、
音声を入力する音声入力部と、
前記音声入力部により入力された音声における語気を示す特徴量を認識する語気認識部と、
前記音声入力部により入力された音声について予め定められた語気を示す特徴量の平均値及び標準偏差に基づいて、前記語気認識部により認識された特徴量の標準化変量を算出する標準化変量算出部と、
前記標準化変量算出部により算出された標準化変量に基づいて、複数の楽曲のそれぞれを当該楽曲の曲調を示す特徴量に対応付けて格納する楽曲データベースから楽曲を検索する検索部と、
前記検索部により検索された楽曲を再生する再生部と
を備える音楽再生装置として機能させる音楽再生プログラム。
【請求項１２】
前記検索部は、前記楽曲データベースに更に格納された、前記複数の楽曲における曲調を示す特徴量の平均値及び標準偏差に基づいて、前記標準化変量算出部により算出された標準化変量と略同一の標準化変量を示す楽曲を前記楽曲データベースから検索することを特徴とする請求項１１に記載の音楽再生プログラム。
【発明の詳細な説明】
【技術分野】
【０００１】
本発明は、音楽再生装置、音楽再生方法、音楽再生プログラム、及び電子アルバム装置に関する。特に本発明は、複数の楽曲から何れかの楽曲を検索して再生する音楽再生装置、音楽再生方法、音楽再生プログラム、及び電子アルバム装置に関する。
【背景技術】
【０００２】
近年、カーオーディオ装置や携帯型オーディオプレイヤー等の音楽再生装置におけるハードディスクドライブ等の大容量記憶装置の利用が進んでおり、それらの音楽再生装置に格納される楽曲の数が飛躍的に増加している。しかし、音楽再生装置に格納される楽曲の数が多くなることにより、利用者は、多様な曲を楽しむことができる反面、所望の曲を検索する場合に多くの操作を行う必要があり、操作性の低下が問題視されている。
【０００３】
また、近年、音声認識技術の発展に伴い、利用者が発した音声をテキスト化して、文章を入力するソフトウェアや、音声によるコマンド選択機能を有するユーザーインターフェイスの開発が盛んに行われている。
【０００４】
そこで、音声により指定された曲名や曲の特徴等を、音声認識技術を用いて認識し、それらの曲名や曲の特徴等をキーワードとして楽曲を検索することにより操作性の向上を図った音楽再生装置が開示されている（例えば、特許文献１参照。）。
【０００５】
【特許文献１】特開２００３−８４７８３
【発明の開示】
【発明が解決しようとする課題】
【０００６】
しかしながら、特許文献１の発明に係る音楽再生装置においては、曲の特徴等のキーワードを予め登録しておく必要があり、楽曲の数が多い場合に、利用者の負担が非常に大きく、利便性が低下しているという問題があった。
【０００７】
そこで本発明は、上記の課題を解決することができる音楽再生装置、音楽再生方法、音楽再生プログラム、及び電子アルバム装置を提供することを目的とする。この目的は特許請求の範囲における独立項に記載の特徴の組み合わせにより達成される。また従属項は本発明の更なる有利な具体例を規定する。
【課題を解決するための手段】
【０００８】
上記課題を解決するために、本発明の第１の形態においては、音楽再生装置であって、音声を入力する音声入力部と、音声入力部により入力された音声における語気を示す特徴量を認識する語気認識部と、音声入力部により入力された音声について予め定められた語気を示す特徴量の平均値及び標準偏差に基づいて、語気認識部により認識された特徴量の標準化変量を算出する標準化変量算出部と、標準化変量算出部により算出された標準化変量に基づいて、複数の楽曲のそれぞれを当該楽曲の曲調を示す特徴量に対応付けて格納する楽曲データベースから楽曲を検索する検索部と、検索部により検索された楽曲を再生する再生部とを備える。
【０００９】
語気認識部は、語気を示す特徴量として、音声入力部により入力された音声におけるテンポの速さを認識してもよい。語気認識部は、語気を示す特徴量として、音声入力部により入力された音声における音の高さを認識してもよい。語気認識部は、語気を示す特徴量として、音声入力部により入力された音声における音の大きさを認識してもよい。楽曲データベースは、複数の楽曲のそれぞれに対応付けて、複数の楽曲における曲調を示す特徴量の平均値及び標準偏差に基づいて算出された、当該楽曲における当該特徴量の標準化変量を更に格納し、検索部は、楽曲データベースに格納された、楽曲毎の曲調を示す特徴量の標準化変量に基づいて、標準化変量算出部により算出された標準化変量と略同一の標準化変量を示す楽曲を楽曲データベースから検索してもよい。当該音楽再生装置は、楽曲データベースを更に備えてもよい。
【００１０】
また、本発明の第２の形態においては、電子アルバム装置であって、音声を入力する音声入力部と、音声入力部により入力された音声における語気を示す特徴量を認識する語気認識部と、音声入力部により入力される音声について予め定められた語気を示す特徴量の平均値及び標準偏差に基づいて、語気認識部により認識された特徴量の標準化変量を算出する標準化変量算出部と、複数の楽曲のそれぞれを、当該楽曲の曲調を示す特徴量に対応付けて格納する楽曲データベースと、標準化変量算出部により算出された標準化変量に基づいて、楽曲データベースから楽曲を検索する検索部と、複数の画像を格納する画像データベースと、複数の画像を順次表示する表示部と、表示部により複数の画像が順次表示されている場合に、検索部により検索された楽曲を再生する再生部とを備える。再生部は、表示部により表示される画像が切り替わるタイミングで、検索部により検索された楽曲の再生を開始してもよい。
【００１１】
また、本発明の第３の形態においては、音楽再生方法であって、音声を入力する音声入力段階と、音声入力段階において入力された音声における語気を示す特徴量を認識する語気認識段階と、音声入力段階において入力された音声について予め定められた語気を示す特徴量の平均値及び標準偏差に基づいて、語気認識段階において認識された特徴量の標準化変量を算出する標準化変量算出段階と、標準化変量算出段階において算出された標準化変量に基づいて、複数の楽曲のそれぞれを当該楽曲の曲調を示す特徴量に対応付けて格納する楽曲データベースから楽曲を検索する検索段階と、検索段階において検索された楽曲を再生する再生段階とを備える。検索段階は、楽曲データベースに更に格納された、複数の楽曲における曲調を示す特徴量の平均値及び標準偏差に基づいて、標準化変量算出段階において算出された標準化変量と略同一の標準化変量を示す楽曲を楽曲データベースから検索してもよい。
【００１２】
また、本発明の第４の形態においては、コンピュータを音楽再生装置として機能させる音楽再生プログラムであって、コンピュータを、音声を入力する音声入力部と、音声入力部により入力された音声における語気を示す特徴量を認識する語気認識部と、音声入力部により入力された音声について予め定められた語気を示す特徴量の平均値及び標準偏差に基づいて、語気認識部により認識された特徴量の標準化変量を算出する標準化変量算出部と、標準化変量算出部により算出された標準化変量に基づいて、複数の楽曲のそれぞれを当該楽曲の曲調を示す特徴量に対応付けて格納する楽曲データベースから楽曲を検索する検索部と、検索部により検索された楽曲を再生する再生部とを備える音楽再生装置として機能させる。検索部は、楽曲データベースに更に格納された、複数の楽曲における曲調を示す特徴量の平均値及び標準偏差に基づいて、標準化変量算出部により算出された標準化変量と略同一の標準化変量を示す楽曲を楽曲データベースから検索してよい。
【００１３】
なお、上記の発明の概要は、本発明の必要な特徴の全てを列挙したものではなく、これらの特徴群のサブコンビネーションもまた、発明となりうる。
【発明の効果】
【００１４】
本発明によれば、多数の楽曲の中から何れかの楽曲を検索する場合に、利用者に検索条件の入力等の負担を強いる事無く、楽曲を検索することができる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、本発明の第１の実施形態に係る音楽再生装置１０の構成の一例を示すブロック図である。音楽再生装置は、多数の楽曲の中から何れかの楽曲を検索して再生し、利用者に提供する。例えば、音楽再生装置１０は、カーオーディオ装置として実施されてよい。
【００１７】
本発明の第１の実施形態に係る音楽再生装置１０は、多数の楽曲の中から何れかの楽曲を検索する場合に、利用者に検索条件の入力等の負担を強いる事無く、利用者が行っている会話の雰囲気等に適した楽曲を検索することを目的とする。
【００１８】
音楽再生装置１０は、音声入力部１００、語気認識部１１０、標準化変量算出部１２０、楽曲データベース１３０、検索部１４０、及び再生部１５０を備える。音声入力部１００は、例えばマイクであり、利用者の音声を入力し、入力したアナログの音声信号を、Ａ／Ｄ変換部１０５に出力する。Ａ／Ｄ変換部１０５は、音声入力部１００から受け取ったアナログの音声信号をＡ／Ｄ変換することによりデジタルの音声信号を生成し、生成した音声信号を語気認識部１１０に出力する。
【００１９】
語気認識部１１０は、テンポ認識部１１２、高さ認識部１１４、大きさ認識部１１６を有する。語気認識部１１０は、Ａ／Ｄ変換部１０５から受け取った音声信号における、語気を示す特徴量を、公知の音声認識技術を用いて認識する。ここで、語気を示す特徴量とは、具体的には、テンポの速さ、音の高さ、及び音の大きさ等である。テンポ認識部は、音声入力部１００により入力された音声信号におけるテンポの速さを認識し、認識結果を標準化変量算出部１２０に出力する。高さ認識部１１４は、音声入力部１００により入力された音声における音の高さを認識し、認識結果を標準化変量算出部１２０に出力する。大きさ認識部１１６は、音声入力部１００により入力された音声における音の大きさを認識し、認識結果を標準化変量算出部１２０に出力する。
【００２０】
標準化変量算出部１２０は、テンポ標準化変量算出部１２２、高さ標準化変量算出部１２４、及び大きさ標準化変量算出部１２６を有する。標準化変量算出部１２０は、音声入力部１００により入力された音声における語気を示す特徴量について予め定められた平均値及び標準偏差に基づいて、語気認識部１１０により認識された語気を示す特徴量の標準化変量を算出する。テンポ標準化変量算出部１２２は、入力された利用者の音声におけるテンポの速さについて予め定められた平均値及び標準偏差に基づいて、テンポ認識部１１２から受け取ったテンポの速さの認識結果における標準化変量を算出する。そして、テンポ標準化変量算出部１２２は、算出した標準化変量を検索部１４０に出力する。高さ標準化変量算出部１２４は、入力された利用者の音声における音の高さについて予め定められた平均値及び標準偏差に基づいて、高さ認識部１１４から受け取った音の高さの認識結果における標準化変量を算出する。そして、高さ標準化変量算出部１２４は、算出した標準化変量を検索部１４０に出力する。大きさ標準化変量算出部１２６は、入力された利用者の音声における音の大きさについて予め定められた平均値及び標準偏差に基づいて、大きさ認識部１１６から受け取った音の大きさの認識結果における標準化変量を算出する。そして、大きさ標準化変量算出部１２６は、算出した標準化変量を検索部１４０に出力する。
【００２１】
楽曲データベース１３０は、複数の楽曲のそれぞれを、当該楽曲における曲調を示す特徴量に対応付けて格納する。例えば、楽曲データベース１３０は、複数の楽曲のそれぞれを、ＭＰ３（ＭＰＥＧ  Ａｕｄｉｏ  Ｌａｙｅｒ−３）等のデータ形式で格納する。また、曲調を示す特徴量とは、具体的には、テンポの速さ、音の高さ、音の大きさ等であり、例えば、当該楽曲中における平均値として算出された値であってよい。また、それぞれの特徴量は、楽曲の種別毎に異なる方法で算出された値であってよい。例えば、楽曲が声楽曲である場合は、人間の音声を示す周波数帯の音声信号に基づいて算出し、楽曲が声楽曲でない場合は、全ての周波数帯の音声信号に基づいて算出してもよい。
【００２２】
検索部１４０は、テンポ検索部１４２、高さ検索部１４４、及び大きさ検索部１４６を有する。検索部１４０は、標準化変量算出部１２０により算出された標準化変量に基づいて、楽曲データベース１３０から楽曲を検索する。テンポ検索部１４２は、テンポ標準化変量算出部１２２により算出された、入力音声におけるテンポの速さの標準化変量に基づいて、楽曲データベース１３０から楽曲を検索する。高さ検索部１４４は、高さ標準化変量算出部１２４により算出された、入力音声における音の高さの標準化変量に基づいて、楽曲データベース１３０から楽曲を検索する。大きさ検索部１４６は、大きさ標準化変量算出部１２６により算出された、入力音声における音の大きさの標準化変量に基づいて、楽曲データベース１３０から楽曲を検索する。そして、検索部１４０は、テンポ検索部１４２、高さ検索部１４４、及び大きさ検索部１４６において検索された楽曲を、再生部１５０に出力する。再生部１５０は、検索部１４０により検索された楽曲を、例えばスピーカ等を用いて再生し、利用者に提供する。
【００２３】
本発明の第１の実施形態に係る音楽再生装置１０によれば、利用者が発した音声における、テンポの速さ、音の高さ、及び音の大きさ等の特徴量に基づいて、楽曲データベース１３０から楽曲を検索して再生することができる。ここで、利用者が発する音声における、テンポの速さ、音の高さ、及び音の大きさ等の特徴量は、利用者の意図や感情、会話の雰囲気を如実に表す。従って、音楽再生装置１０を、例えばカーオーディオ装置として利用している場合等に、利用者は、自身の意図や感情、車内における会話の雰囲気等に合った音楽をＢＧＭとして楽しむことができる。
また、本発明の第１の実施形態に係る音楽再生装置１０によれば、利用者の発する音声における特徴量に基づいて楽曲を検索するので、利用者が楽曲の検索条件を入力する必要が無く、利用者にとっての利便性を向上させることができる。
【００２４】
また、本発明の第１の実施形態に係る音楽再生装置１０の構成は、本図に示した構成に限定されず、本図に示した構成に多様な変更を加えてもよい。例えば、音楽再生装置１０は、楽曲データベース１３０を備えるのに代えて、インターネット上で公開されている楽曲データベースにネットワークを介して接続する通信部を備えていてもよい。この場合、検索部１４０は、通信部を介して楽曲データベースと通信し、楽曲及び当該楽曲における特徴量を受信する。また、例えば、音楽再生装置１０は、再生部１５０を備えていなくともよい。この場合、音楽再生装置１０は、検索部１４０において検索された楽曲を、ネットワーク等を介して他の装置に送信し、当該他の装置において再生等の処理を行わせてもよい。
【００２５】
図２は、本発明の第１の実施形態に係る標準化変量算出部１２０及び検索部１４０における処理の一例を示す。本発明の第１の実施形態に係る音楽再生装置１０は、予め、利用者が入力した音声における語気を示す特徴量のサンプリングを複数回行い、利用者の音声における特徴量の平均的な値や変動の度合いといった傾向を示す情報を収集する。例えば、音楽再生装置１０は、所定の期間内に利用者の会話の音声を入力し続けて、入力した音声から、テンポの速さ、音の高さ、及び音の大きさ等の特徴量を複数回抽出し、特徴量の種類毎に平均値及び標準偏差を算出して記録する。
【００２６】
図２（ａ）は、予めサンプリングされた利用者の音声における、テンポの速さの分布の一例を示す。本図において、横軸は、テンポの速さの標準化変量、即ち、サンプリングされた音声において認識されたテンポの速さの値と、サンプリングされたすべての音声におけるテンポの速さの平均値との差を、サンプリングされたすべての音声におけるテンポの速さの標準偏差で除算した値である。また、本図において、縦軸は、複数回のサンプリングにおいて入力された音声のうち、当該音声について算出されたテンポの速さの標準化変量が、横軸で示したそれぞれの値をとる音声の数である。
【００２７】
テンポ標準化変量算出部１２２は、音声入力部１００により入力された利用者の音声について、テンポ認識部１１２により認識されたテンポの速さを示す値を受け取り、複数回のサンプリングにより予め算出されているテンポの速さの平均値及び標準偏差に基づいて、入力された音声におけるテンポの速さの標準化変量Ｖ１を算出する。
【００２８】
一方、楽曲データベース１３０は、予め、複数の楽曲のそれぞれについて、当該楽曲における曲調を示す特徴量、具体的には、テンポの速さ、音の高さ、音の大きさ等を認識し、認識した特徴量を当該楽曲に対応付けて格納する。また、楽曲データベース１３０は、予め、複数の楽曲において、特徴量の種類毎に平均値及び標準偏差を算出し、算出結果を格納する。そして、楽曲データベース１３０は、予め、複数の楽曲のそれぞれについて、当該楽曲において認識された特徴量の値と、複数の楽曲における特徴量の平均値との差を、複数の楽曲における特徴量の標準偏差で除算することにより、当該楽曲における特徴量の標準化変量を特徴量の種類毎に算出し、算出結果を当該楽曲に対応付けて格納する。
【００２９】
図２（ｂ）は、楽曲データベース１３０に格納されている楽曲における、テンポの速さの分布の一例を示す。本図において、横軸は、テンポの速さの標準化変量であり、また、縦軸は、格納されている複数の楽曲のうち、当該楽曲について算出されたテンポの速さの標準化変量が、横軸で示したそれぞれの値をとる楽曲の数である。テンポ検索部１４２は、楽曲データベース１３０により楽曲毎に対応付けて格納されている当該楽曲におけるテンポの速さの標準化変量に基づいて、テンポ標準化変量算出部１２２において算出された標準化変量Ｖ１と略同一の標準化変量Ｖ２を示す楽曲を、楽曲データベース１３０から検索する。これに代えて、楽曲データベース１３０は楽曲毎のテンポの速さの標準化変量そのものを格納せず、テンポ検索部１４２が、楽曲データベース１３０に格納された、複数の楽曲におけるテンポの速さの平均値及び標準偏差に基づいて、楽曲毎のテンポの速さの標準化変量を算出し、その結果に基づいて、楽曲データベース１３０から楽曲を検索してもよい。また、これに代えて、楽曲データベース１３０は複数の楽曲におけるテンポの速さの平均値及び標準偏差そのものを格納せず、テンポ検索部１４２が、楽曲毎のテンポの速さの値に基づいて、複数の楽曲におけるテンポの速さの平均値及び標準偏差を算出し、更に楽曲毎のテンポの速さの標準化変量を算出することにより、楽曲データベース１３０から楽曲を検索してもよい。更に、楽曲データベース１３０は楽曲毎のテンポの速さの値を格納せず、テンポ検索部１４２が、必要に応じて、それぞれの楽曲におけるテンポの速さの値を算出してもよい。
以上のようにして、テンポ検索部１４２は、例えば、利用者の気分か高揚しており、発する音声のテンポが平常より速くなっている場合に、格納されている複数の楽曲における平均的なテンポの速さに対して同程度の度合いで速いテンポの楽曲を検索することができる。
【００３０】
本例においては、テンポの速さについてのみ説明したが、音の高さ及び音の大きさといった他の特徴量についても、同様の方法で楽曲を検索することができることは言うまでもない。具体的には、高さ検索部１４０は、楽曲毎の音の高さに基づいて楽曲を検索する。これにより、高さ検索部１４０は、例えば、利用者の気分か高揚しており、発する音声の高さが平常より高くなっている場合に、格納されている複数の楽曲における平均的な音の高さに対して同程度の度合いで音が高い楽曲を検索することができる。また、大きさ検索部１４０は、楽曲毎の音の大きさに基づいて楽曲を検索する。これにより、大きさ検索部１４０は、例えば、利用者の気分が落ち込んでおり、発する音声の大きさが平常より小さくなっている場合に、格納されている複数の楽曲における平均的な音の大きさに対して同程度の度合いで音が小さい楽曲を検索することができる。
【００３１】
このように、検索部１４０は、入力された音声から認識された複数の特徴量と、楽曲毎に認識された複数の特徴量とを、互いの特徴量のベクトルが略同一の方向を示す特徴量毎に組み合わせて、入力された音声において認識された特徴量の標準化変量と、楽曲において認識された特徴量の標準化変量とを比較することにより、楽曲を検索する。ここで、音楽再生装置１０は、テンポの速さ、音の高さ、及び音の大きさだけでなく、入力された音声及び楽曲において認識される他の特徴量を用いて、テンポの速さ等と同様の方法により、楽曲データベース１３０から楽曲を検索してもよい。
【００３２】
一般に、声におけるテンポの速さや高さ、大きさ等の特徴量の平均的な値や変動の度合いは、利用者毎に異なる。このため、例えば、声におけるテンポの速さの平均値が互いに等しい二人の利用者が、互いに等しいテンポの速さで音声を発した場合であっても、普段からテンポの速さが大きく変動する利用者と、普段はテンポの速さがほとんど変動しない利用者とでは、その特徴量の持つ意味は大きく異なり、後者の利用者は、前者の利用者に比べて、より気持ちが高ぶっている、又はより気持ちが沈んでいると判断することができる。従って、入力された音声における特徴量の標準化変量を算出し、算出した標準化変量に基づいて楽曲データベース１３０から楽曲を検索することにより、声における特徴量の傾向が利用者毎に異なる場合であっても、利用者の意図や感情、会話の雰囲気等を正確に反映した楽曲を検索することができる。
【００３３】
また、楽曲データベース１３０に格納されている楽曲における特徴量の標準化変量に基づいて楽曲を検索することにより、楽曲データベース１３０に格納されている楽曲の特徴が、例えばテンポの速い曲等に偏っている場合であっても、入力された音声に基づいて、利用者の意図や感情、会話の雰囲気等を正確に反映した楽曲を検索することができる。
【００３４】
また、本発明の第１の実施形態に係る音楽再生装置１０によれば、利用者が指定した曲名等の情報に基づいて楽曲を検索する従来の音楽再生装置とは異なり、楽曲における特徴量の標準化変量に基づいて楽曲を検索することにより、利用者が知らない楽曲であっても、会話の雰囲気等に適した楽曲として検索することができる。この特徴は、インターネット等のネットワークを介して接続した楽曲データベースを用いて楽曲を検索する場合に、より高い効果を示す。
【００３５】
図３は、本発明の第１の実施形態に係る音楽再生装置１０における処理の流れの一例を示すフローチャートである。まず、音声入力部１００は、利用者の発した音声を入力する（Ｓ１０００）。ここで、複数の話者が存在する場合、音声入力部１００は、公知の音声認識技術を用いることにより特定の話者の発する音声を認識し、当該音声のみを抽出して出力してもよい。続いて、テンポ認識部１１２は、入力された音声のテンポの速さを認識する（Ｓ１０１０）。例えば、テンポ認識部１１２は、公知の音声認識技術を用いて、音声信号を音節単位に分解し、それぞれの音節の長さに基づいてテンポの速さを認識する。続いて、テンポ標準化変量算出部１２２は、認識されたテンポの速さを示す値の標準化変量を算出する（Ｓ１０２０）。
【００３６】
続いて、高さ認識部１１４は、入力された音声における音の高さを認識する（Ｓ１０３０）。例えば、高さ認識部１１４は、公知の音声認識技術を用いて、入力された音声におけるピッチ周波数を認識する。続いて、高さ標準化変量算出部１２４は、認識された音の高さを示す値の標準化変量を算出する（Ｓ１０４０）。続いて、大きさ認識部１１６は、入力された音声における音の大きさを認識する（Ｓ１０５０）。例えば、大きさ認識部１１６は、音声信号の強度に基づいて、音の大きさを認識する。続いて、大きさ標準化変量算出部１２６は、認識された音の大きさを示す値の標準化変量を算出する（Ｓ１０６０）。
【００３７】
続いて、検索部１４０は、特徴量毎に算出された標準化変量に基づいて、楽曲データベース１３０から楽曲を検索する（Ｓ１０７０）。ここで、複数の楽曲が検索された場合、検索部１４０は、例えば、複数の検索結果からランダムに選び出した少なくとも１つの楽曲を、再生部１５０に出力してよい。また、検索部１４０は、検索された複数の楽曲のそれぞれに、当該楽曲の検索に用いた特徴量の種類毎に予め定められた重みを付けて、検索された複数の楽曲のうち、より大きな重みを有する楽曲を、優先的に再生部１５０に出力してよい。ここで、利用者の意図や会話の雰囲気をより正確に反映する特徴量に対して、より大きな重みを定義することにより、より精度の高い楽曲の検索を行うことができる。また、複数の種類の特徴量に跨って検索された楽曲に対して、より大きな重みを付与することができるので、更に精度の高い楽曲の検索を行うことができる。そして、再生部１５０は、検索された楽曲を再生し、利用者に提供する（Ｓ１０８０）。
【００３８】
図４は、本発明の第２の実施形態に係る電子アルバム装置２０の構成の一例を示すブロック図である。電子アルバム装置２０は、画像を順次表示して利用者に提供する、所謂スライドショーを実行すると共に、スライドショーのＢＧＭとなる楽曲を再生する。電子アルバム装置２０は、例えば、パーソナルコンピュータ、テレビ、及び携帯電話等として実施されてよい。
【００３９】
本発明の第２の実施形態に係る電子アルバム装置２０は、スライドショー中に利用者の間で交わされる会話の音声を認識することにより、会話の雰囲気に適した楽曲をＢＧＭとして再生することを目的とする。
【００４０】
電子アルバム装置２０は、音声入力部１００、Ａ／Ｄ変換部１０５、語気認識部１２０、楽曲データベース１３０、検索部１４０、画像データベース１６０、表示部１７０、及び再生部１８０を備える。なお、本図に示した部材のうち、図１において示した部材と同一の符号を付した部材は、図１における部材と同一の機能を有するので、説明を省略する。
【００４１】
画像データベース１６０は、複数の画像を格納する。表示部１７０は、画像データベース１６０に格納されている複数の画像を順次表示し、利用者に提供する。ここで、表示部１７０は、静止画像を表示するのに代えて、動画像を再生してもよい。再生部１８０は、表示部１７０により複数の画像が順次表示されている場合に、検索部１４０により検索された楽曲を再生する。ここで、再生部１８０は、表示部１７０により表示される画像が切り替わるタイミングで、検索部１４０により検索された楽曲の再生の開始、又は再生する楽曲の切り替えを行ってよい。
【００４２】
本発明の第２の実施形態に係る電子アルバム装置２０によれば、利用者がスライドショーを見ながら行う会話の音声における、テンポの速さ、音の高さ、及び音の大きさ等の特徴量に基づいて、楽曲データベース１３０から楽曲を検索して再生することができる。これにより、利用者は、スライドショーを見ながら行っている会話の雰囲気に合った楽曲を、スライドショーのＢＧＭとして楽しむことができる。この場合、スライドショーにおいて表示する画像の選択等の事前準備を行う際に予め定めたＢＧＭのみを再生する従来のスライドショー装置とは異なり、以前と同じスライドショーであっても、その場の会話の雰囲気等によって異なるＢＧＭが再生されるので、利用者は、新鮮な気持ちで何度でもスライドショーを楽しむことができる。
【００４３】
また、表示される画像が切り替わるタイミングで、ＢＧＭの再生が開始されたり、また、他のＢＧＭに切り替わったりすることにより、再生するＢＧＭがその場の会話の雰囲気等に基づいて動的に決定されているにも関わらず、画像とＢＧＭとが密接に結びついた、品質の高いスライドショーを実行することができ、利用者の満足度を高めることができる。
【００４４】
図５は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４５】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００４６】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００４７】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００４８】
ＲＡＭ１５２０を介してハードディスクドライブ１５４０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図４にかけて説明した、音楽再生装置１０又は電子アルバム装置２０として機能させる。
【００４９】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５１】
【図１】本発明の第１の実施形態に係る音楽再生装置１０の構成の一例を示すブロック図である。
【図２】本発明の第１の実施形態に係る標準化変量算出部１２０及び検索部１４０における処理の一例を示す図である。
【図３】本発明の第１の実施形態に係る音楽再生装置１０における処理の流れの一例を示すフローチャートである。
【図４】本発明の第２の実施形態に係る電子アルバム装置２０の構成の一例を示すブロック図である。
【図５】本発明の実施形態に係るコンピュータ１５００のハードウェア構成の一例を示すブロック図である。
【符号の説明】
【００５２】
１０  音楽再生装置、２０  電子アルバム装置、１００  音声入力部、１０５  Ａ／Ｄ変換部、１１０  語気認識部、１１２  テンポ認識部、１１４  高さ認識部、１１６  大きさ認識部、１２０  標準化変量認識部、１２２  テンポ標準化変量算出部、１２４  高さ標準化変量算出部、１２６  大きさ標準化変量算出部、１３０  楽曲データベース、１４０  検索部、１４２  テンポ検索部、１４４  高さ検索部、１４６  大きさ検索部、１５０  再生部、１６０  画像データベース、１７０  表示部、１８０  再生部
【図１】
2005274790.tif 000003
【図２】
2005274790.tif 000004
【図３】
2005274790.tif 000005
【図４】
2005274790.tif 000006
【図５】
2005274790.tif 000007